(57)【要約】      （修正有）【課題】ウイング部の折り目を安定させつつ、下着に対するずれの抑制効果を向上できる吸収性物品を提供する。【解決手段】吸収性物品１は、吸収体２３を含む本体部２と、本体部の幅方向の外側に位置する一対のウイング部３と、本体部の非肌対向面に設けられた本体粘着部と、各ウイング部の非肌対向面に設けられたウイング粘着部と、を有する。各ウイング部３は、ウイング部の根元部３Ｅから幅方向の外側に延びる第１領域Ｒ１と、第１領域から前後方向の外側に延びる第２領域Ｒ２と、を有する。各ウイング部は、各ウイング部の前後方向の中心を通り、かつ幅方向に沿うウイング中心線３ＷＣに対して非対称である。ウイング粘着部は、第１領域Ｒ１と第２領域Ｒ２に配置される。【選択図】図１
0003216869.tif 000002
【実用新案登録請求の範囲】
【請求項１】
吸収体を含む本体部と、
前記本体部の幅方向の外側に位置する一対のウイング部と、
前記本体部の非肌対向面に設けられた本体粘着部と、
各ウイング部の非肌対向面に設けられたウイング粘着部と、を有する吸収性物品であって、
前記各ウイング部は、前記ウイング部の根元部から幅方向の外側に延びる第１領域と、
前記第１領域から前後方向の外側に延びる第２領域と、を有し、
前記各ウイング部は、前記各ウイング部の前後方向の中心を通り、かつ幅方向に沿うウイング中心線に対して非対称であり、
前記ウイング粘着部は、前記第１領域と第２領域に配置される、吸収性物品。
【請求項２】
前記ウイング部は、前記幅方向の一方側に位置する第１ウイング部と、前記幅方向の他方側に位置する第２ウイング部と、を有し、
前記第１ウイング部と前記第２ウイング部は、前記吸収性物品の前後方向に沿う前後中心線に対して非対称である、請求項１に記載の吸収性物品。
【請求項３】
前記ウイング部は、前記幅方向の一方側に位置する第１ウイング部と、前記幅方向の他方側に位置する第２ウイング部と、を有し、
前記第１ウイング部と前記第２ウイング部は、前記吸収性物品の前後方向に沿う前後中心線に対して対称である、請求項１に記載の吸収性物品。
【請求項４】
前記ウイング粘着部は、前記第１領域と前記第２領域に跨がって設けられる、請求項１から請求項３のいずれかに記載の吸収性物品。
【請求項５】
前記第２領域の幅方向の長さは、前記第１領域側から前記前後方向の外側に向かうにつれて短くなる、請求項１から請求項４のいずれかに記載の吸収性物品。
【請求項６】
前記第２領域は、前記根元部に対する前記前後方向の一方側に配置され、前記根元部に対する前記前後方向の他方側に配置されない、請求項１から請求項５のいずれかに記載の吸収性物品。
【請求項７】
前記第２領域は、前記根元部に対する前記前後方向の両側にそれぞれ配置されており、
前記根元部に対して前記前後方向の一方側に配置される前記第２領域の前後方向の長さは、前記根元部に対して前記前後方向の他方側に配置される前記第２領域の前後方向の長さと異なる、請求項１から請求項５のいずれかに記載の吸収性物品。
【請求項８】
吸収体を含む本体部と、
前記本体部の幅方向の外側に位置する一対のウイング部と、を有する吸収性物品であって、
前記各ウイング部は、前記本体部から幅方向の外側に延び、かつ装着時に装着者の指が当接する当接域と、前記当接域の前後方向の長さよりも長く、かつ前記当接域に当接した装着者の指の前後方向への移動を案内する案内域と、を有し、
前記当接域と前記案内域の非肌対向面には、ウイング粘着部が設けられている、吸収性物品。
【請求項９】
前記ウイング部は、前記幅方向の一方側に位置する第１ウイング部と、前記幅方向の他方側に位置する第２ウイング部と、を有し、
前記第１ウイング部の案内域は、前記当接域の前側に位置し、
前記第２ウイング部の案内域は、前記当接域の後側に位置する、請求項８に記載の吸収性物品。
【考案の詳細な説明】
【技術分野】
【０００１】
本考案は、吸収性物品に関する。
【背景技術】
【０００２】
従来、吸収体を含む本体部と、本体部から幅方向の外側に延出するウイング部と、を有する吸収性物品が知られている（例えば、特許文献１及び特許文献２参照）。ウイング部を有する吸収性物品は、一般的に、本体部の非肌対向面に設けられた本体粘着部と、ウイング部の非肌対向面に設けられたウイング粘着部と、を有する。装着者は、吸収性物品を装着する際に、下着の肌対向面に本体粘着部に止着した後、ウイング部の根元部を基点にウイング部を下着の非肌対向面側に折り返し、ウイング粘着部を下着の非肌対向面に止着する。
【先行技術文献】
【特許文献】
【０００３】
【特許文献１】特開２００６−３４４９５号公報
【特許文献２】特開２００６−３１１９３９号公報
【考案の概要】
【考案が解決しようとする課題】
【０００４】
また、吸収性物品は、下着に対するずれを抑制することが求められている。吸収性物品と下着のずれの抑制効果を向上させるために、ウイング部の前後方向の長さを長くし、下着とウイング部とが止着する面積となるウイング粘着部の面積を大きくすることが考えられる。しかし、ウイング部の前後方向の長さを長くすると、ウイング部の根元部が長くなる。そのため、ウイング部を下着の非肌対向面側に折り返し難くなり、ウイング部の折り目が安定しないことがある。ウイング部の折り目が安定しないと、ウイング粘着部を下着の適切な位置に止着できなかったり、折り目がよれて装着感が悪化したりすることがある。
【０００５】
そこで、本開示は、上述の課題に鑑みてなされたものであり、ウイング部の折り目を安定させつつ、下着に対するずれの抑制効果を向上できる吸収性物品を提供することを目的とする。
【課題を解決するための手段】
【０００６】
本開示に係る吸収性物品（吸収性物品１）は、吸収体（吸収体２３）を含む本体部（本体部２）と、前記本体部の幅方向の外側に位置する一対のウイング部（ウイング部３）と、前記本体部の非肌対向面に設けられた本体粘着部（本体粘着部２４）と、各ウイング部の非肌対向面に設けられたウイング粘着部（ウイング粘着部３４）と、を有する吸収性物品であって、前記各ウイング部は、前記ウイング部の根元部（根元部３Ｅ）から幅方向の外側に延びる第１領域（第１領域Ｒ１）と、前記第１領域から前後方向の外側に延びる第２領域（第２領域Ｒ２）と、を有し、前記各ウイング部は、前記各ウイング部の前後方向の中心を通り、かつ幅方向に沿うウイング中心線（ウイング中心線３ＷＣ）に対して非対称であり、前記ウイング粘着部は、前記第１領域と第２領域に配置されることを要旨とする。
【０００７】
本開示に係る吸収性物品（吸収性物品１）は、吸収体（吸収体２３）を含む本体部（本体部２）と、を有する吸収性物品であって、前記各ウイング部は、前記本体部から幅方向の外側に延び、かつ装着時に装着者の指が当接する当接域（当接域Ｒ３）と、前記当接域の前後方向の長さよりも長く、かつ前記当接域に当接した装着者の指の前後方向への移動（矢印Ａ）を案内する案内域（案内域Ｒ４）と、を有し、前記当接域と前記案内域の非肌対向面には、ウイング粘着部（ウイング粘着部３４）が設けられていることを要旨とする。
【考案の効果】
【０００８】
本開示によれば、ウイング部の折り目を安定させつつ、下着に対するずれの抑制効果を向上できる吸収性物品を提供することができる。
【図面の簡単な説明】
【０００９】
【図１】本実施形態に係る吸収性物品の平面図である。
【図２】図１に示した吸収性物品の背面図である。
【図３】図１に示した吸収性物品を下着に装着した状態を模式的に示した図である。
【図４】変形例に係る吸収性物品の平面図である。
【考案を実施するための形態】
【００１０】
（１）吸収性物品の構成
図１及び図２を参照して、実施形態に係る吸収性物品１について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。
また、図面相互間においても互いの寸法の関係や比率が異なる部分が含まれ得る。
【００１１】
図１は、実施形態に係る吸収性物品１の平面図である。図２は、図１に示す吸収性物品１の背面図である。吸収性物品１としては、尿とりパッド、パンティーライナー（おりものシート）や生理用ナプキン等の吸収性物品であって、下着に装着される吸収性物品が想定される。本実施形態では、かかる吸収性物品１として尿とりパッドが用いられるケースについて説明する。
【００１２】
吸収性物品１は、着用者の前側Ｆと後側Ｒとに延びる前後方向Ｌと、前後方向Ｌに直交する幅方向Ｗと、厚み方向と、を有する。厚み方向は、肌対向面側及びその反対側である非肌対向面側を有する。
【００１３】
吸収性物品１は、本体部２と、本体部２の幅方向の外側に位置する一対のウイング部３と、を有する。本体部２は、吸収体２３を少なくとも含む。本実施の形態の本体部２は、吸収体２３と、吸収体２３よりも肌対向面側に位置する肌面シート２１と、吸収体２３よりも非肌対向面側に位置する非肌面シート２２と、本体部２の非肌対向面に設けられた本体粘着部２４と、を備える。
【００１４】
ウイング部３は、肌面シート２１と、非肌面シート２２と、ウイング粘着部３４と、を有する。本体部２の肌面シート２１とウイング部３の肌面シート２１は、一体化している。本体部２の非肌面シート２２とウイング部３の非肌面シート２２は、一体化している。
【００１５】
肌面シート２１は、吸収体２３を覆うトップシート２１１と、トップシート２１１の外側縁を覆い、かつトップシート２１１の外側縁から幅方向Ｗの外側に延出するサイドシート２１２と、を有する。
【００１６】
トップシート２１１は、体液等の液体を透過する液透過性のシートである。トップシート２１１は、少なくとも吸収体２３の肌対向面を覆う。トップシート２１１は、通常吸収性物品に使用されているものを使用することができ、例えば、不織布、開孔フィルムなどを用いることができる。
【００１７】
サイドシート２１２は、トップシート２１１と同じ材質を用いることができる。サイドシート２１２は、トップシート２１１の外側縁及び吸収体２３の外側縁を覆い、かつ吸収体２３及びトップシート２１１よりも幅方向Ｗの外側に延出する。また、吸収性物品１は、トップシート２１１がサイドシート２１２と一体化し、サイドシート２１２を備えない構成であってもよい。
【００１８】
非肌面シート２２は、体液等の液体を透過しない液不透過性のシートである。非肌面シート２２は、少なくとも吸収体３０の非肌対向面側を覆う。非肌面シート２２は、通常吸収性物品に使用されているものを使用することができ、例えば、非通気性や通気性のフィルム、不織布等を用いることができる。
【００１９】
吸収体２３は、本体部２の幅方向の中央に配置されている。吸収体２３は、ウイング部３に配置されていない。吸収体２３は、親水性繊維、高分子吸水ポリマー等の吸収材料を有する。また、吸収体２３は、吸収材料を覆うコアラップを有していてもよい。
【００２０】
本体粘着部２４は、本体部２の非肌対向面に配置されている。具体的には、本体粘着部２４は、本体部２の非肌面シート２２の非肌対向面に設けられている。本体粘着部２４は、本体部２を衣服（下着）の肌対向面側に固定するために設けられている。また、ウイング粘着部３４は、ウイング部３の非肌対向面に配置されている。具体的には、ウイング粘着部３４は、ウイング部３の非肌面シート２２の非肌対向面に設けられている。ウイング粘着部３４は、ウイング部３を衣服（下着）の非肌対向面側に固定するために設けられている。
【００２１】
使用前の状態では、本体粘着部２４及びウイング粘着部３４は、図示しない剥離シート
によって覆われている。当該剥離シートによって、使用前に接着剤が劣化することを防止している。なお、変形例において、剥離シートを設けずに、本体粘着部２４等を包装シートによって覆うように構成してもよい。本体粘着部２４及びウイング粘着部３４は、幅方向に間隔を空けて複数列に配置されている。各列は、前後方向に延びる。なお、本体粘着部２４及びウイング粘着部３４は、幅方向に延びる列状であって、前後方向に間隔を空けて複数列配置されていてもよい。
【００２２】
一対のウイング部３は、本体部２の外側縁２Ｅから幅方向の外側に延出する。一対のウイング部３は、幅方向の一方側に位置する第１ウイング部３１と、幅方向の他方側に位置する第２ウイング部３２と、を有する。図１において、一対のウイング部３のうち第２ウイング部３２に斜線を付して示す。本体部２の外側縁２Ｅは、前後方向Ｌに沿って直線状に延びる。各ウイング部３は、各ウイング部３の前後方向の中心を通り、かつ幅方向に沿うウイング中心線３ＷＣに対して非対称である。
【００２３】
各ウイング部３は、ウイング部３の根元部３Ｅから幅方向Ｗの外側に延びる第１領域Ｒ１と、第１領域Ｒ１から前後方向Ｌの外側に延びる第２領域Ｒ２と、を有する。第１領域Ｒ１と第２領域Ｒ２は、隣接している。図１において、第１領域Ｒ１と第２領域Ｒ２の前後方向の範囲を示す。第１領域Ｒ１は、ウイング部３の根元部３Ｅから幅方向に延びる領域である。よって、第１領域Ｒ１の前後方向の外端縁（前端縁及び後端縁）は、根元部３Ｅの前後方向の外端縁と一致、又は根元部３Ｅの前後方向の外端縁よりも前後方向の内側に位置する。また、第２領域Ｒ２の前後方向の外端縁は、根元部３Ｅの前後方向の外端縁と一致、又は根元部３Ｅの前後方向の外端縁よりも前後方向の外側に位置する。
【００２４】
第２領域Ｒ２の前後方向Ｌの長さは、第１領域Ｒ１の前後方向Ｌの長さと一致していてもよいし、第１領域Ｒ１の前後方向Ｌの長さよりも短くてもよいし、第１領域Ｒ１の前後方向Ｌの長さよりも長くてもよい。本実施の形態の第２領域Ｒ２の前後方向Ｌの長さは、第１領域Ｒ１の前後方向Ｌの長さよりも短い。また、第２領域Ｒ２の幅方向の長さは、第１領域Ｒ１の幅方向の長さと一致していてもよいし、第１領域Ｒ１の幅方向の長さよりも短くてもよいし、第１領域Ｒ１の幅方向Ｗの長さよりも長くてもよい。本実施の形態の第２領域Ｒ２の幅方向の長さは、第１領域Ｒ１の幅方向Ｗの長さよりも短い。また、第２領域Ｒ２の幅方向の長さは、第１領域Ｒ１側から前後方向の外側（第１領域から離れる側）に向かうにつれて短くなる。すなわち、第２領域Ｒ２の前後方向の端部のうち、第１領域Ｒ１と離れた側の端部は、前後方向Ｌの外側に向かう先細り形状である。
【００２５】
また、第２領域Ｒ２は、根元部３Ｅに対する前後方向の一方側に配置され、根元部３Ｅに対する前後方向の他方側に配置されない。本実施の形態では、第１ウイング部３１の第２領域Ｒ２は、第１領域Ｒ１の後側Ｒに配置され、第１領域Ｒ１の前側Ｆに配置されない。第２ウイング部３２の第２領域Ｒ２は、第１領域Ｒ１の前側Ｆに配置され、第１領域Ｒ１の後側Ｒに配置されない。よって、第１ウイング部３１と第２ウイング部３２は、吸収性物品１の前後方向に沿う前後中心線１ＬＣに対して非対称である。
【００２６】
ウイング部３の根元部３Ｅは、ウイング部３の内側縁(ウイング部３の本体部２側の端部)を含むである。ウイング部３の根元部３Ｅには、ウイング部３を下着の非肌対向面側に折り返した際に折り目ＦＬ（図３参照）が形成される。図１において、第１ウイング部３１の根元部３Ｅに斜線を付して示す。
【００２７】
第１領域Ｒ１は、本体部２から幅方向Ｗの外側に延び、かつ装着時に装着者の指が当接する当接域Ｒ３を含む。なお、装着時に装着者の指が当接するとは、ウイング部３の装着時、すなわち、ウイング部３を下着の非肌対向面側に折り返し、当該折り返した部分を下着の非肌対向面に固定する時、装着者の指が当たることである。第１領域Ｒ１は、ウイング部３を下着の非肌対向面側に折り返した際にウイング部３に形成される折り目ＦＬに隣接する。当接域Ｒ３の前後方向Ｌの範囲は、第１領域Ｒ１の前後方向Ｌの中心を含む。図１に、第１領域Ｒ１の前後方向の中心を通り、かつ幅方向に沿う第１領域中心線Ｒ１ＷＣを示す。
【００２８】
当接域Ｒ３の前後方向Ｌの長さは、少なくとも２０ｍｍである。装着者は、下着の非肌対向面にウイング部３を押し当てる際に、指でウイング部３を押圧することができる。一般的に、指で押圧した際に、指によって力を掛けられる範囲は、１０ｍｍ程度である。また、装着者は、折り目ＦＬに隣接する第１領域Ｒ１の前後方向の中心を押し当てる目安とすることが多い。よって、当接域Ｒ３は、第１領域Ｒ１の前後方向Ｌの中心から前後方向にそれぞれ１０ｍｍずつ延びた領域を含む。装着者は、このように構成された当接域Ｒ３を装着時に指で押圧する。
【００２９】
ウイング部３は、当接域Ｒ３の前後方向Ｌの外側に位置する案内域Ｒ４を有する。当接域Ｒ３と案内域Ｒ４は、隣接している。案内域Ｒ４は、当接域Ｒ３の前後方向Ｌの長さよりも長く、かつ当接域Ｒ３に当接した装着者の指の前後方向への移動を案内するように構成されている。当接域Ｒ３の前側と後側の両方に延出しているウイング部３においては、当接域Ｒ３の前後方向Ｌの長さよりも長い側が、案内域Ｒ４を構成する。案内域Ｒ４の前後方向Ｌの長さが当接域Ｒ３の前後方向Ｌの長さよりも長く、かつ案内域Ｒ４が前後方向Ｌの外側に延びる形状であるため、装着者は、ウイング部３の形状に沿って指を自然に前後方向に沿って動かしやすくなる。よって、案内域Ｒ４は、当接域Ｒ３に当接した装着者の指の前後方向Ｌへの移動を案内する。
【００３０】
なお、当接域Ｒ３は、第１領域Ｒ１の一部の領域である。案内域Ｒ４は、第１領域Ｒ１の一部以外の領域（当接域以外の領域）と第２領域Ｒ２とを含む領域である。図１において、当接域Ｒ３と案内域Ｒ４の前後方向の範囲を示す。また、本実施の形態においては、第１ウイング部３１の案内域Ｒ４は、第１ウイング部３１の当接域Ｒ３の後側に位置し、第２ウイング部３２の案内域Ｒ４は、第２ウイング部３２の当接域Ｒ３の前側に位置する。
【００３１】
ウイング粘着部３４は、第１領域Ｒ１と第２領域Ｒ２に配置される。本実施の形態のウイング粘着部３４は、第１領域Ｒ１と第２領域Ｒ２に跨がって設けられている。また、第１領域Ｒ１に配置されるウイング粘着部３４と、第２領域Ｒ２に配置されるウイング粘着部３４と、が別々に設けられていてもよい。
【００３２】
（２）作用・効果
装着者は、吸収性物品１を装着する際に、まず、本体部２の本体粘着部２４を下着の肌対向面に固定する。次いで、装着者は、ウイング部３の根元部３Ｅを基点にウイング部３を下着の非肌対向面側に折り返し、ウイング粘着部３４を下着の非肌対向面に固定する。吸収性物品１が下着に装着された状態で、ウイング部３の根元部３Ｅには、折り目ＦＬが形成される。図３に、図１に示した吸収性物品１を下着に装着した状態を模式的に示す。図３は、下着の非肌対向面から視認した状態である。
【００３３】
吸収性物品１は、ウイング部３の根元部３Ｅから幅方向の外側に延びる第１領域Ｒ１にウイング粘着部３４が設けられているため、折り目ＦＬが形成される前後方向の範囲において、ウイング部３を下着に固定することができる。更に、第１領域Ｒ１から前後方向Ｌの外側に位置する第２領域Ｒ２にウイング粘着部３４が設けられている。折り目ＦＬが形成される範囲のみならず、折り目ＦＬが形成される範囲を前後方向に超えた位置において、ウイング部３を下着に固定することができる。よって、吸収性物品１と下着のずれの抑制効果を向上できる。
【００３４】
ウイング粘着部３４が第２領域Ｒ２に配置されているため、ウイング部３の根元部３Ｅの前後方向の長さを長くすることなく、ウイング部３の根元部３Ｅを前後方向に超えた範囲で下着と吸収性物品１とを止着できる。ウイング部３の根元部３Ｅの前後方向の長さを長くしないため、ウイング部３の折り目を安定させることができる。折り目のよれに基づく装着感の悪化を抑制できる。
【００３５】
このように構成された吸収性物品１においてウイング部３を下着の非肌対向面に止着する際には、ウイング部３の第１領域Ｒ１を下着の非肌対向面側に止着し、次いで、ウイング部３の第２領域Ｒ２を下着の非肌対向面側に止着することができる。装着者は、第１領域Ｒ１を止着するために第１領域Ｒ１に含まれる当接域Ｒ３内の部分（例えば、図３のＰ１）を手で押さえ、次いで、第１領域Ｒ１内の当接域Ｒ３を押さえた手を前後方向Ｌにスライド移動して（図３の矢印Ａ）、案内域Ｒ４に含まれる第２領域Ｒ２内の部分（例えば、図３のＰ２）を手で押さえることができる。このような装着動作によれば、第１領域Ｒ１と第２領域Ｒ２とを連続して止着できる。このように、第１領域Ｒ１と第２領域Ｒ２とを有するウイング部３の形状が、装着者の装着動作に合っているため、ウイング部３の形状によって装着時の手の動きを誘導することができる。
【００３６】
このように吸収性物品の装着操作を吸収性物品の形状によって補助することにより、装着者の装着動作の負担を軽減できる。例えば、吸収性物品の装着操作を負担に感じる高齢者であっても、吸収性物品の形状に沿って手を動かすことによって吸収性物品を装着できるため、高齢者が自分で装着できるという意識を持つことができる。その結果、高齢者の自立を支援することができる。
【００３７】
加えて、吸収性物品１が装着された状態で、ウイング部３の根元部３Ｅには、装着者の脚に挟まれることにより、幅方向の外側から幅方向の内側に向かう力が掛かる。このとき、例えば、第１ウイング部３１と第２ウイング部のそれぞれが前後方向において対称であると、各ウイング部３の前側に掛かる力と、各ウイング部３の後側に掛かる力とが同じ力になり易い。そのため、幅方向Ｗの内側に向かう力がウイング部３に掛かった際は、第１ウイング部３１の前後方向の中心と、第２ウイング部３２の前後方向の中心と、一対のウイング部３の間の本体部２の幅方向の中心と、に力が作用する。この力が掛かる３点は、幅方向Ｗに沿った直線上に位置する。幅方向に沿った直線上に力が掛かると、吸収性物品１は、一対のウイング部３の間の本体部２の中心を基点として回転し易い。よって、吸収性物品１が回転方向に移動し、吸収性物品１と下着のずれが生じ易くなる。
【００３８】
しかし、本願発明のウイング部３は、前後方向Ｌにおいて対称でない。そのため、各ウイング部３の前側に掛かる力と各ウイング部３の後側に掛かる力とが同じ力になり難い。幅方向の内側に向かう力が作用した際にウイング部３に力が掛かる３点は、前後方向Ｌにずれて配置され、幅方向Ｗに沿った直線上に位置し難い。よって、吸収性物品１は、一対のウイング部３の間の本体部２の中心を基点として回転し難くなり、吸収性物品１と下着のずれが生じ難くなる。
【００３９】
第１ウイング部３１と第２ウイング部３２は、吸収性物品１の前後中心線１ＬＣに対して非対称であってもよい。当該構成によれば、第１ウイング部３１の第２領域Ｒ２は、第１領域Ｒ１に対して前後方向の一方側（例えば、後側）に位置し、第２ウイング部３２の第２領域Ｒ２は、第１領域Ｒ１に対して前後方向の他方側（例えば、前側）に位置する。装着者は、一方の手で第１ウイング部３１を止着し、他方の手で第２ウイング部３２を止着することができる。その際に、左右の手を前後方向Ｌの異なる方向にスライド移動することにより、第１ウイング部３１の第２領域Ｒ２と、第２ウイング部３２の第２領域Ｒ２とを下着に止着できる。
【００４０】
ウイング粘着部３４は、第１領域Ｒ１と第２領域Ｒ２に跨がって設けられていてもよい。装着者は、ウイング部３を下着に装着する際に、第１領域Ｒ１を手で押さえ、当該手を前後方向にスライド移動することにより、第１領域Ｒ１と連続して第２領域Ｒ２も止着できる。このとき、例えば、第１領域Ｒ１のウイング粘着部３４と第２領域Ｒ２のウイング粘着部３４が離間していると、第１領域Ｒ１のウイング粘着部３４と第２領域Ｒ２のウイング粘着部３４の間が浮いてしまい、第２領域Ｒ２のウイング粘着部３４を所望の位置に止着できないことがある。しかし、ウイング粘着部３４が第１領域Ｒ１と第２領域Ｒ２に跨っていることにより、ウイング部３の第１領域Ｒ１と第２領域Ｒ２を連続して固定でき、ウイング部３の一部が浮き上がることを防止し、第２領域Ｒ２のウイング粘着部３４を所望の位置に止着できる。
【００４１】
第２領域Ｒ２の幅方向の長さは、第１領域Ｒ１側から前後方向の外側（第１領域から離れる側）に向かうにつれて短くてもよい。第２領域Ｒ２の面積が第１領域Ｒ１の面積に比べて小さくなるため、第２領域Ｒ２が下着に止着された状態を維持し易く、第２領域Ｒ２が下着から外れ難くなる。また、ウイング部３を装着する際は、第１領域Ｒ１から第２領域Ｒ２に手を動かす。第２領域Ｒ２の幅方向の長さが第１領域Ｒ１から離れるに連れて短くなり、幅が短くなる方向が手の動く移動方向に一致するため、ウイング部３の全体の形状によって手の動きを誘導しやすくなる。
【００４２】
第２領域Ｒ２は、根元部３Ｅに対する前後方向の一方側に配置され、根元部３Ｅに対する前後方向の他方側に配置されなくてもよい。装着者は、ウイング部３を下着に装着する際に、第１領域Ｒ１を止めた手を前後方向にスライド移動することにより、第１領域Ｒ１と連続して第２領域Ｒ２も止めることができる。このとき、第２領域Ｒ２が、根元部３Ｅに対する前後方向の一方側と根元部３Ｅに対する前後方向の他方側とに配置されていると、第１領域Ｒ１を止めた手を前後方向の両方にスライド移動する必要がある。しかし、根元部３Ｅに対する前後方向の一方側に第２領域Ｒ２が配置され、根元部３Ｅに対する前後方向の他方側に第２領域Ｒ２が配置されない構成においては、装着者は、第１領域Ｒ１を止めた手を前後方向の一方側にスライド移動するのみで第２領域Ｒ２を装着できる。装着者は、容易に吸収性物品１を装着できる。
【００４３】
ウイング部３が当接域Ｒ３と案内域Ｒ４とを有するため、装着者は、ウイング部３の形状に誘導されて、装着方法を迷わずにウイング部３を装着することができる。例えば、吸収性物品の装着操作を負担に感じる高齢者であっても、吸収性物品の形状に沿って手を動かすことによって吸収性物品１を装着できるため、高齢者が自分で装着できるという意識を持つことができる。その結果、高齢者の自立を支援することができる。
【００４４】
（３）その他の実施形態
上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。従って、本明細書の記載は、例示説明を目的とするものであり、本考案に対して何ら制限的な意味を有するものではない。
【００４５】
図４に基づいて、変形例に係る吸収性物品１Ａについて説明する。図４は、変形例に係る吸収性物品１Ａの平面図である。なお、変形例の説明において、上述の実施の形態と同様の構成については、同符号を用いて説明を省略する。
【００４６】
変形例に係る吸収性物品１Ａは、上述の実施の形態とウイング部３の形状が異なる。より詳細には、変形例に係る吸収性物品１Ａの第１ウイング部３１と第２ウイング部３２は、吸収性物品１Ａの前後方向に沿う前後中心線１ＬＣに対して対称である。すなわち、変形例に係る吸収性物品１Ａのウイング部３は、左右対称である。
【００４７】
第１ウイング部３１の第２領域Ｒ２は、第１領域Ｒ１に対して前後方向の一方側（例えば、後側）に位置し、第２ウイング部３２の第２領域Ｒ２は、第１領域Ｒ１に対して前後方向の一方側（例えば、後側）に位置する。装着者は、一方の手で第１ウイング部３１を止着し、他方の手で第２ウイング部３２を止着することができる。左右の手を前後方向の同じ方向にスライド移動することにより、第１領域Ｒ１と第２領域Ｒ２とを止着できる。
【００４８】
他の変形例に係る吸収性物品として、第２領域Ｒ２が、根元部３Ｅに対する前後方向Ｌの両側にそれぞれ配置されていてもよい。具体的には、第１ウイング部３１が、根元部３Ｅに対して前後方向Ｌの一方側（例えば、前側）に位置する第２領域Ｒ２と、根元部３Ｅに対して前後方向Ｌの他方側（例えば、後側）に位置する第２領域Ｒ２と、を有し、第２ウイング部３２が、根元部３Ｅに対して前後方向Ｌの一方側（例えば、前側）に位置する第２領域Ｒ２と、根元部３Ｅに対して前後方向Ｌの他方側（例えば、後側）に位置する第２領域Ｒ２と、を有する。すなわち、各ウイング部３には、第１領域Ｒ１を挟んで前後方向Ｌの両側に第２領域Ｒ２が配置されている。
【００４９】
変形例において、根元部３Ｅに対して前後方向Ｌの一方側（例えば、前側）に位置する第２領域Ｒ２の前後方向の長さは、根元部３Ｅに対して前後方向Ｌの他方側（例えば、後側）に位置する第２領域Ｒ２の前後方向Ｌの長さと同じであってもよいし、根元部３Ｅに対して前後方向の他方側（例えば、後側）に位置する第２領域Ｒ２の前後方向の長さと異なっていてもよい。根元部３Ｅに対して前後方向Ｌの一方側（例えば、前側）に位置する第２領域Ｒ２の前後方向Ｌの長さと、根元部３Ｅに対して前後方向Ｌの他方側（例えば、後側）に位置する第２領域Ｒ２の前後方向Ｌの長さと、が異なる構成においては、第２領域Ｒ２の前後方向Ｌの長さの違いによって、装着者が把持する部分を把握し易くなる。例えば、装着者は、前後方向Ｌの長さが比較的長い第２領域を把持して当該第２領域を下着に固定し、次いで、手を前後方向Ｌにスライド移動し、第１領域Ｒ１及び前後方向の長さが比較的短い第２領域Ｒ２を下着に固定できる。
【００５０】
なお、第１ウイング部３１が、根元部３Ｅに対して前後方向の一方側（例えば、前側）に位置する第２領域Ｒ２の前後方向の長さが比較的長く、第２ウイング部３２も、根元部３Ｅに対して前後方向の一方側（例えば、前側）に位置する第２領域Ｒ２の前後方向の長さが比較的長く構成されていてもよいし、第１ウイング部３１が、根元部３Ｅに対して前後方向の一方側（例えば、前側）に位置する第２領域Ｒ２の前後方向の長さが比較的長く、第２ウイング部３２が、根元部３Ｅに対して前後方向の他方側（例えば、後側）に位置する第２領域Ｒ２の前後方向の長さが比較的長く構成されていてもよい。
【符号の説明】
【００５１】
１、１Ａ…吸収性物品
１ＬＣ…前後中心線
２…本体部
２１…肌面シート
２１１…トップシート
２１２…サイドシート
２２…非肌面シート
２３…吸収体
２４…本体粘着部
３…ウイング部
３ＷＣ…ウイング中心線
３Ｅ…根元部
３１…第１ウイング部
３２…第２ウイング部
３４…ウイング粘着部
Ｒ１…第１領域
Ｒ２…第２領域
Ｌ…前後方向
Ｗ…幅方向
【図１】
0003216869.tif 000003
【図２】
0003216869.tif 000004
【図３】
0003216869.tif 000005
【図４】
0003216869.tif 000006